(57)【要約】【課題】カバー材の開放位置を保持できると共に、カバー材の閉鎖位置では、開放位置を保持する力よりも強い力で閉鎖位置を保持することができる表示装置を提供する。【解決手段】本発明の表示装置１において、カバー材１３の閉鎖位置では、面材１５の他方の縁１５ｄを面材押さえ部２９と他方の枠２１とで挟着固定してあり、面材１５はカバー材１３を開放したときに係止溝２３から抜き差し可能なものであり、板ばね２６は、カバー材１３が閉鎖位置から開放位置に回動したときに突部３１が常時ばね部２６ｂに圧接するものであり、ばね部２６ｂの基端側に突部３１が圧接しているときには被係合部２７を閉鎖方向に回動するように付勢すると共に、ばね部２６ｂの先端側に突部３１が圧接しているときには被係合部２７を開放方向に回動するように付勢する。【選択図】図１
2009058683.tif 000002
【特許請求の範囲】
【請求項１】
竪横の枠と、カバー材と、面材とを備え、竪横の一方の枠は面材の一方の縁を係止する係止溝を有し、他方の枠は係合部と、板ばねとを有し、カバー材は、他方の枠の係合部に回動自在に被着係合する被係合部と、被係合部の外面に設けた突部と、面材押さえ部とを有し、面材の他方の縁を面材押さえ部と他方の枠とで挟着固定してあり、面材はカバー材を開放したときに係止溝から抜き差し可能なものであり、板ばねは、カバー材が閉鎖位置から開放位置に回動したときに突部が常時ばね部に圧接するものであり、ばね部の基端側に突部が圧接しているときには被係合部を閉鎖方向に回動するように付勢すると共に、ばね部の先端側に突部が圧接しているときには被係合部を開放方向に回動するように付勢するものであることを特徴とする表示装置。
【発明の詳細な説明】
【技術分野】
【０００１】
本発明は、看板等の表示装置に関する。
【背景技術】
【０００２】
図３に従来の表示装置を示すように、枠５１に回動自在に設けたカバー材５３を二点鎖線で示すように開放して、面材５５を係止溝５７からスライドにより抜き差し、係止溝５７に面材５５を装着した後、実線で示すようにカバー材５３を閉鎖してカバー材５３の面材押さえ部５９と枠５１で面材５５を挟着することが公知である（公知技術１）。
特許文献１には、カバー材を枠に回動自在に係合して、係合部にばねを設けて、カバー材の開放位置と閉鎖位置との各位置をばねの付勢力で保持することが開示されている。
【０００３】
【特許文献１】実用新案登録第３１１９９４８号公報
【発明の開示】
【発明が解決しようとする課題】
【０００４】
公知技術１では、カバー材を開放位置にして面材を抜き差し作業しているときに、風等によりカバー材が閉じるように回動してしまうと、カバー材が面材の抜き差し作業の邪魔になるという問題がある。また、公知技術１では、カバー材を閉鎖しているときに、子供のいたずら等によりカバー材が容易に開かれるおそれがある。
これに対して、特許文献１の技術のように、カバー材にばねの付勢力を付与した場合には、カバー材の閉鎖位置と開放位置とを保持することができるが、カバー材が閉鎖しているときと開放しているときでは、ばねによる付勢力はいずれの場合も同じであるから、カバー材が閉鎖しているときと開放しているときとでカバー材を保持する力は同じになってしまう。従って、ばねの付勢力を高めてカバー材が開放しているときと閉鎖しているときでカバー材に強い付勢力を付与したのでは、面材の抜き差し作業終了後に作業者が開放しているカバー材を閉じにくくなる。
一方、カバー材が開放位置にあるときには、面材の抜き差し作業時に風等によりカバー材が回動するのを防止できる程度の付勢力とし、カバー材が閉鎖位置にあるときには、子供等がいたずらで開けないようにカバー材を開き難くしたいという要求がある。
【０００５】
そこで、本発明は、カバー材の開放位置を保持できると共に、カバー材の閉鎖位置では、開放位置を保持する力よりも強い力で閉鎖位置を保持することができる表示装置の提供を目的とする。
【課題を解決するための手段】
【０００６】
請求項１に記載の発明は、竪横の枠と、カバー材と、面材とを備え、竪横の一方の枠は面材の一方の縁を係止する係止溝を有し、他方の枠は係合部と、板ばねとを有し、カバー材は、他方の枠の係合部に回動自在に被着係合する被係合部と、被係合部の外面に設けた突部と、面材押さえ部とを有し、面材の他方の縁を面材押さえ部と他方の枠とで挟着固定してあり、面材はカバー材を開放したときに係止溝から抜き差し可能なものであり、板ばねは、カバー材が閉鎖位置から開放位置に回動したときに突部が常時ばね部に圧接するものであり、ばね部の基端側に突部が圧接しているときには被係合部を閉鎖方向に回動するように付勢すると共に、ばね部の先端側に突部が圧接しているときには被係合部を開放方向に回動するように付勢するものであることを特徴とする。
【発明の効果】
【０００７】
請求項１に記載の発明によれば、カバー材が開放位置にあるときには、突部はカバー材が閉鎖しているときよりも板ばねの先端側で板ばねに圧接するので、カバー材が開放位置にあるときには、閉鎖位置にあるときよりも保持力を弱くできる。即ち、板ばねは先端側ほど弾性変形し易くなり付勢力が小さくなり、基端側を固定しているので、基端側ほど弾性変形し難くなり付勢力が強い。
このように、カバー材が開放位置にあるときには閉鎖位置にあるときよりも弱い力で保持することにより、例えば、カバー材を開放位置にして面材の入れ替え作業等をするときには、風等でカバー材が閉じない弱い力で保持して、面材入れ替え作業終了後には作業者が開放位置にあるカバー材を片手で押して閉じることができるようにすると共にカバー材が閉鎖位置にあるときには、子供がいたずら等であけられないように強い力で保持することできる。
【発明を実施するための最良の形態】
【０００８】
以下に、添付図面を参照して本発明の実施の形態を説明する。図１は本実施の形態に係る表示装置の図であり、（ａ）は（ｂ）に示すＡ部の横断面図であり、（ｂ）はカバー材が開放位置にあるときの表示装置の斜視図であり、図２は図１（ｂ）に示すＣ−Ｃ断面図である。尚、図１（ａ）において一点鎖線で抜き出して示すのは、枠とカバー部材との係合部の拡大図である。
本実施の形態に表示装置１は、移動自在に設けたスタンド看板であり、図１（ｂ）及び図２に示すように、台車３と表示本体５とから構成されている。台車３は車輪７により移動できるようなっており、台車３に表示本体５が固定されている。
表示本体５は、枠１１と、カバー材１３と、面材１５とを備えており、枠１１は、上横枠１７（一方の枠）と、下横枠１９（一方の枠）と、左右の竪枠２１で構成されている。尚、本実施の形態では、図２に示すように、表示本体５には、前後の両側に面材１５を設けて、前後の中間に設けた光源６の光で各面材１５の裏から光をあてて表示しているが、前側表示部と後側表示部の構成は同じであるから、以下の説明では前側表示部の構成について説明する。
上横枠１７及び下横枠１９とには、各々対向する位置に面材１５をスライドにより係合する係止溝２３が設けてある。
図１（ａ）に示すように、左右の竪枠２１には各々、カバー材１３を回動自在に係合する係合部２５と、板ばね２６とが設けてある。係合部２５は、上下方向の軸であり、竪枠２１に沿って上横枠１７と下横枠１９間に設けてある。この係合部２５は竪枠２１から側方に突設した起立部２４の先端に設けてある。
カバー材１３は、横断面が略Ｌ字状を成しており、Ｌ字の一端側には係合部２５に回動自在に被着係合する被係合部２７が設けてあり、他端側には突条の面材押さえ部２９が設けてある。係合部２５は円弧状であり、係合部２５の外周の略２／３に摺動自在に嵌合しており、係合部２５の周囲を回動自在になっている。カバー材１３は押出し片材でできている。
円弧状の被係合部２７の外面には突部３１が設けてあり、突部３１は、面材押さえ部２９側の端に設けたあり且つ係合部２５の径方向外側に突設している。
面材１５は、白色のアクリル板製の面材本体１５ａと、面材本体１５ａの表面に配置する透明アクリル材製の表面材１５ｂとから構成されている。
板ばね２６は、固定部（基端部）２６ａと、突部３１とのばね部２６ｂとを有し、固定部２６ａはねじ３３で竪枠２１に固定してある。ばね部２６ｂは、図１（ａ）に示す横断面において、固定部２６ａから起立部２４に沿って配置した中間部２６ｃの先端側をくの字状に折り曲げてあり、先端を自由端としている。ばね部２６ｂは、カバー材１３が開放位置（図１（ａ）に実線で示す）と閉鎖位置（図１（ａ）に二点鎖線で示す）とに回動したときの突部３１の移動範囲に亘って設けてある。板ばね２６は、カバー材１３が閉鎖位置から開放位置に回動したときに突部３１は常時ばね部２６ｂに圧接する。
板ばね２６のばね部２６ｂにおいて、カバー材１３が開放位置にあるときには、カバー材１３の突部３１が板ばね２６の先端側で押圧し、カバー材１３が閉鎖位置にあるときには、突部３１はカバー材１３が開放位置にあるときよりも、板ばね２６の基端側の位置で押圧する。
【０００９】
次に、本実施の形態に係る表示装置１における面材１５の抜き差し作業（交換作業）、作用及び効果について説明する。面材１５を抜き差しする場合には、図１（ａ）に示すように、二点鎖線で示す閉鎖位置にあるカバー材１３を回動して開き、カバー材１３を実線で示す開放位置にする。
この開放位置では、突部３１は、板ばね２６のばね部２６ｂにおいて先端側の位置Ｓで押圧しており被係合部２７を開放方向に回動するように付勢して、カバー材１３を開放位置に保持する。カバー材の開放位置では、カバー材１３は係止溝２３の端２３ａに対向する位置から外れた位置、すなわち、スライドにより移動する面材１５と干渉しない位置にある。
カバー材１３を開放位置に保持した状態で、面材１５をスライドして係止溝２３から引き抜き、次に新たな面材１５を表面材と共に係止溝２３にスライドして装着する。
新たな面材１５を装着後、作業者は開放位置にあるカバー材１３を押して回動させると、板ばね２６は突部３１に押されて弾性変形しつつ被係合部２７が係合部２５の軸回りを回動して、図１（ｂ）に二点鎖線で示すように、カバー材１３が閉鎖位置になる。
カバー材１３の閉鎖位置では、カバー材１３は係止溝２３の端２３ａに対向して位置すると共に面材押さえ部２９が面材１５を押圧し、竪枠２１と面材押さえ部２９とで面材１５を挟持固定する。この閉鎖位置では、図１（ａ）に示すように、板ばね２６のばね部２６ｂにおいて、被係合部２７に設けてある突部３１は、カバー材開放位置での押圧位置Ｓよりも基端側の押圧位置Ｔで板ばね２６に圧接し、被係合部２７を閉鎖方向に回動するように付勢する。
カバー材１３が開放位置にあるときには、カバー材１３が閉鎖位置（図１（ａ）の符号Ｔ）にあるときよりも板ばね２６の先端側の位置で突部３１が板ばね２６に圧接するので（図１（ａ）の符号Ｓ）、開放位置におけるカバー材１３に作用する付勢力を閉鎖位置にあるときよりも弱くできる。
即ち、板ばね２６は、固定部２６ａに近い程弾性変形し難くなり付勢力が強く、固定部２６ａから離れる程弾性変形し易くなり付勢力が小さい。従って、閉鎖位置では、カバー材１３は開放位置にあるときよりも強い付勢力でカバー材の閉鎖方向に付勢されるので、開放位置にあるときよりも強い力で閉鎖位置が保持される。
本実施の形態によれば、カバー材１３が閉鎖位置にあるときには、例えば子供がいたずらであけるのを防止できる強さで且つ作業者が両手で開くことができる程度の付勢力とし、開放位置にあるときには、風等で閉じない程度の力で開放位置を保持することができる。そして、開放位置にあるカバー材１３を閉じるときには、例えば作業者がカバー材１３を片手で押して閉鎖することができる強さで開放位置を保持することができる。
また、カバー材１３が閉鎖位置にあるときには、開放位置にあるときよりも強い付勢力でカバー材１３を保持しているのでカバー材１３の面材押さえ部２９と竪枠２１で面材１５を強固に固定することができる。
本実施の形態では、左右の竪枠２１、２１に各々カバー材１３を設けているので、左右のいずれからも面材１５のスライド引き抜きや装着ができ、作業性が良い。
【００１０】
本発明は、上述した実施の形態に限らず、本発明の要旨を逸脱しない範囲で種々変形可能である。
例えば、係止溝２３を左右の竪枠２１、２１に各々設けて、カバー材１３は上枠１７に設けて、上枠１７側から面材１５を抜き差しするものであっても良い。
図１（ａ）において、板ばね２６は、ばね部２６ｂが係合部（回動軸）２５の接線に平行な面になっていれば良く、例えば、中間部２６ｃを竪枠２１の起立部２４に固定して固定部としたものであってよいし、中間部２６ｃをばね部２６ｂの延長線上に設けて固定部２６ａから直線状に延出するものであっても良い。
表示装置１は、スタンド看板に限らず、店舗内に設けた商品広告用の表示装置等であってもよい。
【図面の簡単な説明】
【００１１】
【図１】本実施の形態に係る表示装置の図であり、（ａ）は（ｂ）に示すＡ部の横断面図であり、（ｂ）はカバー材が開放位置にあるときの表示装置の斜視図である。
【図２】図１（ｂ）に示すＣ−Ｃ断面図である。
【図３】従来の表示装置におけるカバー材の開閉部分を示す横断面図である。
【符号の説明】
【００１２】
１      表示装置
１３    カバー材
１５    面材
１７    上横枠（一方の枠）
１９    下横枠（一方の枠）
２１    竪枠（他方の枠）
２３    係止溝
２５    係合部
２６    板ばね
２６ｂ  ばね部
２７    被係合部
２９    面材押さえ部
３１    突部
【図１】
2009058683.tif 000003
【図２】
2009058683.tif 000004
【図３】
2009058683.tif 000005